(57)【要約】  本発明はタイトルの少なくとも一つのセグメントに対する多重再生経路ビデオデータの再生を管理するためのデータ構造を有する記録媒体、そのデータ構造を記録し、再生する方法及び装置に関する。記録媒体にはタイトルの少なくとも一つのセグメントに対する一つ以上のビデオデータのクリップが格納されるデータ領域が少なくとも一つ含まれる。ビデオデータの各クリップはセグメントの他の再生経路と連係される。
2006505081.tif 000002
【特許請求の範囲】
【請求項１】
記録媒体に記録される少なくとも多重再生経路ビデオデータの再生を管理するためのデータ構造を有する記録媒体において、
タイトルの少なくとも一つのセグメントに対する一つ以上のビデオデータのクリップが格納される少なくとも一つのデータ領域を含み、
ビデオデータの各クリップは前記セグメントの異なる再生経路と連係することを特徴とする記録媒体。
【請求項２】
各再生経路は前記セグメントに対する他のカメラアングルであることを特徴とする請求項１記載の記録媒体。
【請求項３】
前記セグメントにある各再生経路と連係するエントリーポイントマップを少なくとも一つ有するクリップ情報ディレクトリ領域をさらに含み、
各ＥＰマップは、前記連係する再生経路に対するビデオデータを識別して、前記識別されたビデオデータのプレゼンテーションタイムを識別することを特徴とする請求項１記載の記録媒体。
【請求項４】
前記ＥＰマップは時間的に整列されることを特徴とする請求項３記載の記録媒体。
【請求項５】
前記ビデオデータはビデオデータパケットで記録されて、各ビデオデータパケットは前記ビデオパケット間で相互に区別するためのパケット番号を有し、
前記ＥＰマップは、前記ビデオデータパケットの前記パケット番号を識別することによって、前記セグメントにあるビデオデータを識別することを特徴とする請求項３記載の記録媒体。
【請求項６】
前記セグメントにある少なくともビデオデータを識別する一つのＥＰマップを有するクリップ情報ディレクトリ領域をさらに含み、
前記ＥＰマップは前記識別されるビデオデータのプレゼンテーションタイムを識別することを特徴とする請求項１記載の記録媒体。
【請求項７】
前記ビデオデータはビデオデータパケットとして記録されて、各ビデオデータパケットは前記ビデオパケット間を相互に区別するためのパケット番号を有し、
前記ＥＰマップは、前記ビデオデータパケットの前記パケット番号を識別することによって、前記セグメントにあるビデオデータを識別することを特徴とする請求項６記載の記録媒体。
【請求項８】
前記ビデオデータはビデオデータパケットとして記録されて、前記セグメントに対する異なる再生経路と連係する前記ビデオデータパケットの少なくとも一部がインタリーブされることを特徴とする請求項１記載の記録媒体。
【請求項９】
前記セグメントに対する各再生経路と連係するビデオデータパケットは一つのグループとして記録されて、そのグループがインタリーブされることを特徴とする請求項８記載の記録媒体。
【請求項１０】
前記セグメントに対する各再生経路と連係する前記ビデオデータパケットは一つまたはそれ以上のグループとして記録されて、少なくとも一つ以上の再生経路は一つ以上のグループを有し、そのグループがインタリーブされることを特徴とする請求項８記載の記録媒体。
【請求項１１】
ビデオデータパケットの各グループは少なくとも一つのＩ−Ｐｉｃｔｕｒｅを示すことを特徴とする請求項１０記載の記録媒体。
【請求項１２】
各グループの一番目のビデオデータパケットがＩ−Ｐｉｃｔｕｒｅの開始であることを特徴とする請求項１１記載の記録媒体。
【請求項１３】
経路管理情報が格納される経路管理領域をさらに含み、
前記経路管理情報は少なくとも前記セグメントの各再生経路と連係するビデオデータのクリップを識別することを特徴とする請求項１記載の記録媒体。
【請求項１４】
記録媒体に記録される少なくとも多重再生経路ビデオデータの再生を管理するためのデータ構造を有する記録媒体において、
タイトルの少なくとも一つ以上のセグメントに対するビデオデータパケットが格納される少なくとも一つのデータ領域を含み、
前記ビデオデータパケットは前記セグメントに対する異なる再生経路と連係し、前記セグメントに対する各再生経路と連係する前記ビデオデータパケットは一つのグループとして記録されて、そのグループがインタリーブされることを特徴とする記録媒体。
【請求項１５】
少なくとも多重再生経路ビデオデータの再生を管理するためのデータ構造を記録媒体に記録する方法において、
少なくとも一つ以上のデータ領域に、タイトルの少なくとも一つのセグメントに対する一つ以上のビデオデータのクリップを記録することを含み、
ビデオデータの各クリップは前記セグメントの異なる再生経路と連係することを特徴とする方法。
【請求項１６】
記録媒体に記録された少なくとも多重再生経路ビデオデータの再生を管理するためのデータ構造を再生する方法において、
タイトルの少なくとも一つのセグメントに対する一つ以上のビデオデータのクリップを少なくとも一つのデータ領域から再生することを含み、  前記データ領域にはビデオデータのクリップが少なくとも一つ含まれており、ビデオデータの各クリップは前記セグメントの異なる再生経路と連係することを特徴とする方法。
【請求項１７】
少なくとも多重再生経路ビデオデータの再生を管理するためのデータ構造を記録媒体に記録する装置において、
前記記録媒体にデータを記録する光記録手段を駆動するドライブと；
少なくとも多重再生経路ビデオデータをエンコーディングするためのエンコーダと、
少なくとも一つのデータ領域にタイトルの少なくとも一つのセグメントに対する一つ以上のビデオデータのクリップを記録するように前記ドライブを制御するコントローラを含み、
ビデオデータの各クリップは前記セグメントの異なる再生経路と連係することを特徴とする装置。
【請求項１８】
記録媒体に記録された少なくとも多重再生経路ビデオデータの再生を管理するためのデータ構造を再生する装置において、
記録媒体に記録されたデータを再生する光再生手段を駆動するドライブと、
タイトルの少なくとも一つのセグメントに対する一つ以上のビデオデータのクリップを少なくとも一つのデータ領域から再生するように、前記ドライブを制御するコントローラとを含み、
前記データ領域にはビデオデータのクリップが少なくとも一つ含まれ、ビデオデータの各クリップは前記セグメントの異なる再生経路と連係することを特徴とする装置。
【発明の詳細な説明】
【技術分野】
【０００１】
本発明はタイトルの少なくとも一つ以上のセグメントに対する多重再生経路ビデオデータの再生を管理するためのデータ構造を有する記録媒体、その多重再生経路ビデオデータを再生して記録するための装置及び方法に関する。
【背景技術】
【０００２】
最近、高画質のビデオデータと高音質のオーディオデータを高容量で記録できる新しい高密度再生専用または再記録可能光ディスクに対する規格化作業が急速に進んでおり、再記録可能ブルーレイディスク（ＢＤ−ＲＥ）のような新しい光ディスクと関連した製品がまもなく商用化されることと期待されている。
【０００３】
図１は、再記録可能ブルーレイディスク（ＢＤ−ＲＥ）のファイル構造を示したものである。ファイル構造またはデータ構造はＢＤ−ＲＥに記録されるビデオオーディオデータの再生を管理するために用いられる。図１に示したように、データ構造は少なくとも一つ以上の「ＢＤＡＶ」ディレクトリを有するルートディレクトリを含む。「ＢＤＡＶ」ディレクトリには「ｉｎｆｏ．ｂｄａｖ」、「ｍｅｎｕ．ｔｉｄｘ」、「ｍａｒｋ．ｔｉｄｘ」、「＊．ｒｐｌｓ」、「＊．ｖｐｌｓ」のような再生リストファイルが格納されるＰＬＡＹＬＩＳＴサブディレクトリ、「＊．ｃｌｐｉ」のようなクリップ情報ファイルが格納されるＣＬＩＰＩＮＦサブディレクトリ、クリップ情報ファイルに対応するＭＰＥＧ−２フォーマットのＡ／Ｖストリームクリップファイルが格納されるＳＴＲＥＡＭサブディレクトリが含まれる。図１は、ディスクのデータ構造だけでなくディスクの領域をも示している。例えば、「ｉｎｆｏ．ｂｄａｖ」のような一般情報ファイルはディスクの一般情報領域に格納される。
【０００４】
図１に図示したＢＤ−ＲＥのデータ構造とディスクフォーマットは広く知られて容易に利用できるので、以後ファイル構造に対しては簡単に説明する。
【０００５】
前述したように、ＳＴＲＥＡＭディレクトリにはクリップと呼ばれるＭＰＥＧ−２フォーマットのＡ／Ｖストリームファイルが含まれており、またブリッジ−クリップＡ／Ｖストリームファイルという特別な形態のクリップも含まれることがある。ブリッジ−クリップはクリップのうちから選択された二つ以上の再生区間を滑らかに連結するために使われるもので、一般にクリップに比べてサイズが小さい。Ａ／Ｖストリームにはビデオオーディオデータに対するソースパケットが含まれる。ビデオオーディオデータに対するソースパケットにはヘッダーと伝送パケットが含まれる。一つのソースパケットには自身にアクセスするためのアドレスの役割を果たすソースパケット番号（ＳＰＮ）が含まれる。そのソースパケット番号は一般に順番に番号が割り当てられる。伝送パケットには一つのパケットＩＤ（ＰＩＤ）が含まれる。ＰＩＤは伝送パケットが属する一連の伝送パケットを識別する。一連の伝送パケットにある各伝送パケットはＰＩＤが同じである。以後、一連の伝送パケットを伝送パケットシーケンスという。
【０００６】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を指示する。シーケンス情報は到着時間基準ＡＴＣ）シーケンスとシステム時間基準（ＳＴＣ）シーケンスを記述する。例えば、シーケンス情報はシーケンスの数、各シーケンスの開始と終わり時間情報、各シーケンス内での一番目のソースパケットのアドレス、各シーケンスにある伝送パケットのＰＩＤを指示する。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを指示する。
【０００７】
タイミング情報は特徴ポイント情報（ＣＰＩ）と呼ばれる。ＣＰＩの一形態がエントリーポイントマップ（ＥＰマップ）である。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【０００８】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテムと呼ばれる。再生リストファイルは再生リストを形成する各再生アイテムを識別し、各再生アイテムは、クリップの時間軸上の位置（例えば、ＡＴＣまたはＳＴＣ基準でプレゼンテーションタイムスタンプ（ＰＴＳ））を示すＩＮ−ｐｏｉｎｔとＯＵＴ−ｐｏｉｎｔの対である。換言すれば、再生リストファイルは再生アイテムを識別して、各再生アイテムは一つのクリップまたはその一部を指示してクリップと連係するクリップ情報ファイルを識別する。クリップ情報ファイルは再生アイテムをソースパケットのクリップに連結するために使われる。
【０００９】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見られるので、概念的にディスク上でクリップの一部を参照することと同等なことと見られる。仮想再生リストはクリップとブリッジ−クリップをすべて用いることができるので、実再生リストの概念は仮想再生リストと並存しない。
【００１０】
「ｉｎｆｏ．ｂｄａｖ」ファイルは光ディスクに記録されるＡ／Ｖストリームの再生を管理する一般的な情報を提供する一般情報ファイルであって、さらに詳細には同じＢＤＡＶディレクトリのＰＬＡＹＬＩＳＴディレクトリにある再生リストのファイル名を識別する再生リスト目録、すなわち再生リストテーブルを含む。
【００１１】
「ｍｅｎｕ．ｔｉｄｘ」、「ｍｅｎｕ．ｔｄｔ１」、「ｍｅｎｕ．ｔｄｔ２」ファイルはメニューｔｈｕｍｂｎａｉｌｓと関連した情報を格納する。「ｍａｒｋ．ｔｉｄｘ」、「ｍａｒｋ．ｔｄｔ１」、及び「ｍａｒｋ．ｔｄｔ２」ファイルはマークｔｈｕｍｂｎａｉｌｓと関連した情報を格納する。このようなファイルは本発明と直接的な関連がないので、これ以上詳細な説明は省略する。
【００１２】
最近にはブルーレイロム（ＢＤ−ＲＯＭ）のような高密度再生専用光ディスクに対する規格化作業が進んでいる。しかし、ＢＤ−ＲＯＭのような高密度再生専用光ディスクに記録されるビデオオーディオデータの再生を管理するデータ構造に対する効率的な解決策がまだ用意されていない。
【発明の開示】
【課題を解決するための手段】
【００１３】
本発明による記録媒体にはその記録媒体に記録された少なくとも多重再生経路ビデオデータの再生を管理するデータ構造が含まれる。
【００１４】
本発明の実施態様によれば、記録媒体にはタイトルの少なくとも一つのセグメントに対して、一つ以上のビデオデータのクリップが格納されるデータ領域が少なくとも一つ以上含まれる。ビデオデータの各クリップはセグメントの異なる再生経路と連係される、すなわち、関連付けられている。例えば、一実施態様において、各再生経路はセグメントに対する異なるカメラ角度である。
【００１５】
本発明の他の実施態様によれば、記録媒体にはセグメントにある各再生経路と連係するエントリーポイントマップ（ＥＰマップ）を少なくとも一つ以上有するクリップ情報ディレクトリ領域がさらに含まれる。各ＥＰマップは連係する再生経路に対するビデオデータを識別して、その識別されたビデオデータのプレゼンテーションタイムを識別する。本発明の一実施態様では、ＥＰマップが時間的に整列している。
【００１６】
本発明のさらに他の実施態様によれば、記録媒体にはセグメントにある少なくともビデオデータを識別する一つのＥＰマップを有するクリップ情報ディレクトリ領域がさらに含まれる。このＥＰマップは識別されたビデオデータのプレゼンテーションタイムを識別する。
【００１７】
本発明のさらに他の実施態様によれば、記録媒体には経路管理情報が格納される経路管理領域がさらに含まれる。経路管理情報は少なくともセグメントの各再生経路と連係するビデオデータのクリップを識別する。
【００１８】
本発明のさらに他の実施態様によれば、記録媒体にはタイトルの少なくとも一つ以上のセグメントに対して、ビデオデータパケットが格納されるデータ領域が少なくとも一つ以上含まれる。このビデオデータパケットはセグメントに対する異なる再生経路と連係させられ、そのセグメントに対する各再生経路と連係するビデオデータパケットが一つのグループとして記録される。データ領域内で記録されるグループは多重化される。
【発明を実施するための最良の形態】
【００１９】
以下、本発明に対する望ましい実施形態に対して、添付した図面を参照しながら詳細に説明する。
【００２０】
本発明による高密度光ディスク、例えばＢＤ−ＲＯＭは、図２に示したように、ビデオオーディオデータの再生を管理するファイルまたはデータ構造を有する。図２のような本発明によるデータ構造は多くの面で図１に示したＢＤ−ＲＥのデータ構造と同様である。したがって、同様の部分は詳細な説明を省略する。
【００２１】
図２に示したように、ルートディレクトリには少なくとも一つ以上のＤＶＰディレクトリがある。ＤＶＰディレクトリには一般情報ファイル（ｉｎｆｏ．ｄｖｐ）、メニューファイル（ｍｅｎｕ．ｔｉｄｘ、ｍｅｎｕ．ｔｄｔ１等）、実再生リストファイル（＊．ｒｐｌｓ）と仮想再生リストファイル（＊．ｖｐｌｓ）が格納されるＰＬＡＹＬＩＳＴディレクトリ、クリップ情報ファイル（＊．ｃｌｐｉ）が格納されるＣＬＩＰＩＮＦディレクトリ、クリップ情報ファイルに対応するＭＰＥＧ−２フォーマットのＡ／Ｖストリームクリップファイル（＊．ｍ２ｔｓ）が格納されるＳＴＲＥＡＭディレクトリが含まれる。
【００２２】
ＳＴＲＥＡＭディレクトリにはクリップと呼ばれるＭＰＥＧ−２フォーマットのＡ／Ｖストリームクリップファイルが含まれており、また、ブリッジ−クリップＡ／Ｖストリームファイルと呼ばれる特別な形態のクリップも含まれる。ブリッジ−クリップはクリップのうちから選択された二つ以上の再生区間を滑らかに連結するために使われるもので、一般にクリップに比べてサイズが小さい。Ａ／Ｖストリームにはビデオオーディオデータのソースパケットが含まれる。ビデオオーディオデータのソースパケットにはヘッダーと伝送パケットが含まれる。一つのソースパケットには自身にアクセスするためのアドレスの役割を果たすソースパケット番号ＳＰＮが含まれる。そのソースパケット番号は一般に順番に番号が割り当てられる。伝送パケットには一つのパケットＩＤ（ＰＩＤ）が含まれる。ＰＩＤは伝送パケットが属する伝送パケットシーケンスを識別する。伝送パケットシーケンスにある各伝送パケットはＰＩＤが同じである。
【００２３】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を指示する。シーケンス情報は到着時間基準ＡＴＣシーケンスとシステム時間基準ＳＴＣシーケンスを記述する。例えば、シーケンス情報はシーケンスの数、各シーケンスの開始と終わり時間情報、各シーケンスにおける一番目のソースパケットのアドレス、各シーケンスにある伝送パケットのＰＩＤを指示する。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを指示する。
【００２４】
タイミング情報は特徴ポイント情報（ＣＰＩ）と呼ばれる。ＣＰＩの一形態がＥＰマップである。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【００２５】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテムと呼ばれる。再生リストファイルは再生リストを形成する各再生アイテムを識別し、各再生アイテムはクリップの時間軸上の位置（例えば、ＡＴＣまたはＳＴＣ基準でプレゼンテーションタイムスタンプ）を示すＩＮ−ｐｏｉｎｔとＯＵＴ−ｐｏｉｎｔの対である。換言すれば、再生リストファイルは再生アイテムを識別して、各再生アイテムは一つのクリップまたはその一部を指してクリップと連係するクリップ情報ファイルを識別する。クリップ情報ファイルは再生アイテムをソースパケットのクリップに連結するために使用される。
【００２６】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見られるので、概念的にディスク上でクリップの一部を参照することと同等なことと見られる。仮想再生リストはクリップとブリッジ−クリップをすべて用いることができるので、実再生リストの概念は仮想再生リストと並存しない。
【００２７】
「ｉｎｆｏ．ｄｖｐ」ファイルは光ディスクに記録されるＡ／Ｖストリームの再生を管理する一般的な情報を提供する一般情報ファイルであって、ＰＬＡＹＬＩＳＴディレクトリにある再生リストのファイル名を識別する再生リスト目録を含む。「ｉｎｆｏ．ｄｖｐ」ファイルに対しては本発明の実施形態と関連して次にさらに詳細に説明する。
【００２８】
図２では、本発明の実施形態によって記録媒体のデータ構造を示しているだけでなく、記録媒体の領域をも示している。例えば、一般情報ファイルは一つ以上の一般情報領域に記録され、再生リストディレクトリは一つ以上の再生リストディレクトリ領域に記録され、再生リストディレクトリ内の各再生リストは前記記録媒体の一つ以上の再生リスト領域に記録される。図２のデータ構造を有する記録媒体の例を示している図３に示したように、記録媒体にはファイルシステム情報領域、データベース領域、Ａ／Ｖストリーム領域が含まれる。データベース領域には一般情報ファイルと再生リスト情報が記録される領域とクリップ情報領域が含まれる。一般情報ファイルと再生リスト情報が記録される領域には、一般情報ファイル領域の一般情報ファイルと、再生リスト情報領域のＰＬＡＹＬＩＳＴディレクトリと再生リストファイルが記録される。クリップ情報領域には、ＣＬＩＰＩＮＦディレクトリと、関連クリップ情報ファイルが記録される。Ａ／Ｖストリーム領域には多様なタイトルのＡ／Ｖストリームが記録される。
【００２９】
ビデオオーディオデータは一般に個別タイトルとして編成されている。例えば、ビデオオーディオデータにより表現される異なる映画は異なるタイトルとして編成される。また、タイトルは、本がチャプターとして編成されるように多くのチャプターに編成することができる。
【００３０】
ＢＤ−ＲＯＭのような新しい高密度記録媒体の記録容量が非常に大きいため、他のタイトルや、いろいろなバージョンのタイトルまたは一タイトルの一部を格納して再生することができる。例えば、異なるカメラアングルのビデオデータを記録媒体に記録したり、他の実施形態では、タイトルに対するいろんなバージョンまたは異なる言語と関連した一部も記録媒体に記録させることができる。さらに他の実施形態では、タイトルの監督バージョンまたは映画館用バージョンも記録媒体に記録することができる。または、一タイトルの成人バージョン、青年バージョン、父母が制限できる少年バージョンなども記録媒体に記録すれることができる。各バージョンは異なる再生経路を有する。そのような場合のビデオデータは多重再生経路ビデオデータと呼ばれる。本発明は、多重経路ビデオデータに対する前記した例に限らず、多重再生経路ビデオデータのある類型またはこれらの組合せに対しても適用が可能である。後に実施形態として詳細に説明するが、本発明のデータ構造には、記録媒体に記録される多重再生経路ビデオデータの再生を管理するための経路管理情報及び／またはナビゲーション情報が含まれる。
【００３１】
ＢＤ−ＲＯＭのような記録媒体の物理的データ記録領域にタイトルとして記録される、例えば、マルチストーリー、父母制限水準、多重アングルデータストリームのような多重再生経路データストリームは複数のクリップファイルとして管理されることができる。例えば、図４Ａのクリップファイル１ないし３は一つのタイトルに対応して、クリップファイルに記録されるＡ／ＶストリームはＭＰＥＧ−２フォーマットの伝送パケットＴＰの形態を有する。
【００３２】
多重経路データストリームのＴＰには、経路を識別するために経路（例えば、異なるカメラアングル）それぞれに固有なパケットＩＤ（ＰＩＤ）が含まれる。経路１に該当するクリップファイル１のＴＰ（ＴＰ１）には「Ｖｉｄｅｏ_ＰＩＤ＝Ａ」と「Ａｕｄｉｏ_ＰＩＤ＝Ｐ」情報が含まれ、経路２に該当するクリップファイル２のＴＰ（ＴＰ２）には「Ｖｉｄｅｏ_ＰＩＤ＝Ｂ」と「Ａｕｄｉｏ_ＰＩＤ＝Ｒ」情報が含まれ、同様に経路３に該当するクリップファイル３のＴＰ（ＴＰ３）には「Ｖｉｄｅｏ_ＰＩＤ＝Ｃ」と「Ａｕｄｉｏ_ＰＩＤ＝Ｓ」情報が含まれる。
【００３３】
経路１、２、３にそれぞれ該当するクリップファイル１、２、３のＴＰは、例えば、ＢＤ−ＲＯＭのような記録媒体の物理的データ記録領域内にあるＡ／Ｖストリーム領域にインタリーブされた状態で記録される。多重再生経路に対するＴＰは、ＰＩＤをベースにしてインタリーブされてインタリーブブロックになるが、各インタリーブブロックは少なくとも一つ以上のイントラ符号化ピクチャー（Ｉ−Ｐｉｃｔｕｒｅ）が含まれる。各インタリーブブロックの一番目の伝送パケットＴＰはＩ−Ｐｉｃｔｕｒｅが始まる伝送パケットＴＰである。
【００３４】
クリップファイル１、２、３にそれぞれ該当するクリップ情報ファイル１、２、３には各再生経路のＴＰに選択的にアクセスするためのサーチ情報が含まれる。例えば、図４Ａに示したように、各クリップ情報ファイルには一つまたはそれ以上のエントリーポイントマップ（ＥＰマップ）が含まれる。そのＥＰマップには連係するクリップファイルにあるＴＰのソースパケット番号（ＳＰＮ）を連結するプレゼンテーションタイムスタンプ（ＰＴＳ）が含まれる。一実施形態において、多重再生経路データストリームに含まれる経路の数とＥＰマップとの間に一対一の関係がある。図４Ａの実施形態において、クリップファイル１、２、３にそれぞれ該当するＥＰマップ１、２、３は対応するクリップ情報ファイル１、２、３に生成されて記録される。
【００３５】
図４Ｂでは異なるクリップファイルに対するＥＰマップの間に存在する時間整列を示している。ＥＰマップは再生アイテムで指摘されたことと同じように、プレゼンテーションタイムスタンプをソースパケットに連結する。さらに詳細には、プレゼンテーションタイムスタンプはソースパケットのアドレスまたは識別子に連結される。アドレスまたは識別子はソースパケット番号ＳＰＮである。図４Ｂにはクリップファイル１、２、３それぞれに対してプレゼンテーションタイムスタンプ軸に沿ったソースパケット番号でソースパケットをさらに示している。図示したように、ＥＰマップ１、２、３それぞれのソースパケットは同じプレゼンテーションタイムスタンプを有する。例えば、クリップファイル１でのソースパケットｘ１、クリップファイル２でのソースパケットｙ１、クリップファイル３でのソースパケットｚ１が同じプレゼンテーションタイムスタンプＴ１を有する。すなわち、ＥＰ  ｍａｐ１、２、３は時間的に整列させられている。このような時間整列のため、再生している間に再生経路が変わってもビデオデータに対してシームレスの再生が可能になる。図４では二つの同心円で再生経路の変化を示している。図示したように、ユーザーがソースパケットｙ２の再生途中にクリップファイル２からクリップファイル１に再生経路を変えると、ソースパケットｙ２の再生を終えた後、ソースパケットｘ３が次に再生するソースパケットになる。同様に、ユーザーがソースパケットｘ４の再生途中にクリップファイル１からクリップファイル３へ再生経路（例えば、カメラアングル）を変えると、ソースパケットｘ４の再生を終えた後、ソースパケットｚ５が再生される。この実施形態でのソースパケット番号は単に例示であるにすぎない。一般に一つのクリップファイルでのソースパケットは異なるクリップファイルでの時間整列されたソースパケットのソースパケット番号と同じではない。
【００３６】
図５は本発明の実施形態による一般情報ファイル（ｉｎｆｏ．ｄｖｐ）の一部に対して例示している。一般情報ファイルには「ＴａｂｌｅＯｆＰｌａｙｌｉｓｔｓ」という情報フィールドがあるが、その再生リスト目録（ＴａｂｌｅＯｆＰｌａｙｌｉｓｔｓ）には情報フィールドの長さとＰＬＡＹＬＩＳＴディレクトリにある再生リストの数が記録される。そして、各再生リストに対して再生リスト目録には再生リストのファイル名（ＰｌａｙＬｉｓｔ_ｆｉｌｅ_ｎａｍｅ）と経路番号（Ｐａｔｈ＿ｎｕｍｂｅｒ）が記録される。経路番号は連係する再生リストが属する経路を指示することによって経路管理情報を提供する。図４Ａと図４Ｂの実施形態において、一つのクリップに各経路が対応する。したがって、各再生リストファイルには一つの再生アイテムが含まれ、再生アイテムは再生リストファイルのような経路に連係する一つのクリップを指摘する。しかし、本発明はそれに限らない。
【００３７】
本発明の他の実施形態において、再生リスト目録「ＴａｂｌｅＯｆＰｌａｙｌｉｓｔｓ」には経路管理情報が含まれない。この実施形態では、図６に示したように、経路管理情報が再生リストファイルに提供される。各再生リストファイルにはファイルの長さ、再生リストを形成する再生アイテムの個数（ｎｕｍｂｅｒ_ｏｆ_Ｐｌａｙｉｔｅｍｓ）が記録される。各再生アイテムに対して再生アイテム情報フィールドが再生リストファイルに提供される。各再生アイテムは再生アイテムの番号で識別される。図６に示したように、再生アイテム情報フィールドにはフィールドの長さと経路番号（Ｐａｔｈ_ｎｕｍｂｅｒ）が含まれる。経路番号は連係する再生アイテムが属する経路を指示することによって経路管理情報を提供する。
【００３８】
図７は、本発明による光ディスク記録及び再生装置に対する構成を示したものである。Ａ／Ｖエンコーダ９は、オーディオビデオデータの入力を受けてエンコーディングして、そのコーディング情報をストリーム特性情報と共にマルチプレクサ８に出力する。マルチプレクサ８は、例えば、ＭＰＥＧ−２伝送ストリームを生成するために、入力されたコーディング情報とストリーム特性情報を基礎にしてエンコーディングされたオーディオビデオデータを多重化する。ソース・パケッタイザ７はマルチプレクサから入力された伝送パケットを光ディスクのオーディオビデオフォーマットに合うソースパケットにパケット化する。図７に示したように、Ａ／Ｖエンコーダ９、マルチプレクサ８、ソース・パケッタイザ７の動作はコントローラ１０により制御される。コントローラ１０がユーザーから記録命令を受信すると、Ａ／Ｖエンコーダ９、マルチプレクサ８、ソース・パケッタイザ７に制御情報を送る。例えば、コントローラ１０は、Ａ／Ｖエンコーダ９に実行するエンコーディング類型を指示し、マルチプレクサ８に生成する伝送ストリームを指示し、ソース・パケッタイザ７にソースパケットのフォーマットを指示する。また、コントローラ１０は光ディスクにソース・パケッタイザ７の出力を記録できるようにドライブ３を制御する。
【００３９】
また、コントローラ１０は光ディスクに記録されているオーディオビデオデータの再生を管理するための経路管理情報を生成する。例えば、ユーザーとのインターフェース（ディスクに格納されているか、イントラネットまたはインターネットを介して提供する命令語）を介して受けた情報を基礎にして、コントローラ１０は光ディスクに図２、図４、図５、図６のデータ構造を記録するようにドライブ３を制御する。
【００４０】
再生期間には、コントローラ１０はデータ構造を再生するようにドライブ３を制御する。すなわち、ディスクに含まれた情報とユーザーインターフェース（記録及び再生装置の操作ボタンまたはその装置と関連した遠隔操作）を介して受けたユーザー入力を基礎にして、コントローラ１０は光ディスクからオーディオビデオソースパケットを再生するようにドライブ３を制御する。例えば、ユーザー入力は再生する経路を指定できる。このようなユーザー入力を、例えば、コントローラ１０にあらかじめプログラムされたＧＵＩベースのメニューを介して、指定することができる。ユーザー入力と光ディスクから読み出される経路管理情報を利用して、コントローラ１０は指定された経路の再生を制御する。
【００４１】
例えば、特定の経路が選択されるためには、コントローラ１０は再生経路の個数を確認するために各再生アイテムの経路番号を調査して、ユーザーが再生する経路を選択できるようにする。経路管理情報には再生する再生経路と関連した意味ある情報を含めることができる。再生期間、再生作動を行うために、選択された経路に対するＥＰマップにアクセスする。そして、再生している間にユーザーが経路を変更する場合、再生されている経路のＥＰマップと時間的に整列された新しい経路のＥＰマップを用いてシームレスの経路変更を行うことができる。
【００４２】
ソース・デパケッタイザ４は再生されたソースパケットの入力を受けてＭＰＥＧ−２伝送パケットストリームのようなデータストリームに変換する。デマルチプレクサ５はデータストリームをエンコーディングされたビデオオーディオデータに逆多重化する。Ａ／Ｖデコーダ６はエンコーディングされたビデオオーディオデータをデコーディングして元のビデオオーディオデータにする。再生期間、ソース・デパケッタイザ４、デマルチプレクサ５、Ａ／Ｖデコーダ６の動作はコントローラ１０により制御される。コントローラ１０がユーザーから再生命令を受信すると、ソース・デパケッタイザ４、デマルチプレクサ５、Ａ／Ｖデコーダ６に制御情報を送る。例えば、コントローラ１０は、ソース・デパケッタイザ４にソースパケットのフォーマットを指示し、デマルチプレクサ５に逆多重化する伝送ストリームを指示し、Ａ／Ｖデコーダ６に実行するデコーディング類型を指示する。
【００４３】
図７は記録及び再生装置を図示しているが、図７の構成要素一部だけで記録動作または再生作動だけ提供する専用記録装置または専用再生装置も可能である。
【００４４】
図８は、図２のデータ構造で使われるクリップファイル、ディスクデータ、ＥＰマップに対する二番目の実施形態を示したものである。前で説明したように、ＢＤ−ＲＯＭのような記録媒体の物理的データ記録領域に記録される多重経路データストリームは複数のクリップファイルとして管理される。例えば、図８のクリップファイル１ないし３は一つのタイトルに該当し、そのクリップファイルに記録されるＡ／ＶストリームはＭＰＥＧ−２フォーマットの伝送パケットＴＰの形態を有する。
【００４５】
経路１に該当するクリップファイル１のＴＰ（ＴＰ１）には「Ｖｉｄｅｏ_ＰＩＤ＝Ａ」と「Ａｕｄｉｏ_ＰＩＤ＝Ｐ」情報が含まれ、経路２に該当するクリップファイル２のＴＰ（ＴＰ２）には「Ｖｉｄｅｏ_ＰＩＤ＝Ｂ」と「Ａｕｄｉｏ_ＰＩＤ＝Ｒ」情報が含まれ、同様に経路３に該当するクリップファイル３のＴＰ（ＴＰ３）には「Ｖｉｄｅｏ_ＰＩＤ＝Ｃ」と「Ａｕｄｉｏ_ＰＩＤ＝Ｓ」情報が含まれる。経路１、２、３にそれぞれ該当するクリップファイル１、２、３のＴＰは、例えば、ＢＤ−ＲＯＭのような記録媒体の物理的データ記録領域内にあるＡ／Ｖストリーム領域にインタリーブされた状態で記録される。前で説明したように、一実施形態での異なる経路は異なるカメラアングルになることができる。
【００４６】
多重再生経路のＴＰはインタリーブされてインタリーブブロックになるが、各インタリーブブロックは少なくとも一つ以上のＩ−Ｐｉｃｔｕｒｅが含まれる。そして、各インタリーブブロックの一番目の伝送パケットＴＰはＩ−Ｐｉｃｔｕｒｅが始まる伝送パケットＴＰである。
【００４７】
図８に示すように、ＢＤ−ＲＯＭの物理的データ記録領域に一つのタイトルとして記録された単一経路と多重経路のＡ／Ｖストリームの再生制御のための経路管理情報はクリップファイルに対応するクリップ情報ファイルに記録される。
【００４８】
例えば、経路管理情報はクリップファイル１、２、３に対応するクリップ情報ファイルに経路シーケンス情報として記録されて管理される。経路シーケンス情報には、記録セグメント、例えば記録セグメント１、２、３に対応する経路シーケンス番号（Ｐａｔｈ_Ｓｅｑｕｅｎｃｅ_Ｎｕｍｂｅｒｓ）とビデオ／オーディオＰＩＤが含まれる。
【００４９】
さらに詳細には、一番目の記録セグメントに該当するＰａｔｈ_Ｓｅｑｕｅｎｃｅ＃１には、この記録セグメントが一番目の再生経路に対するビデオデータだけを含むということを指す「Ｖｉｄｅｏ_ＰＩＤ＝Ａ」と「Ａｕｄｉｏ_ＰＩＤ＝Ｐ」情報が含まれ、二番目の記録セグメントに該当するＰａｔｈ_Ｓｅｑｕｅｎｃｅ＃２には、この記録セグメントが一番目、二番目、三番目の再生経路に対するビデオデータを含むということを指す「Ｖｉｄｅｏ_ＰＩＤ＝Ａ、Ｂ、Ｃ」と「Ａｕｄｉｏ_ＰＩＤ＝Ｐ、Ｒ、Ｓ」情報が含まれ、三番目の記録セグメントに該当するＰａｔｈ_Ｓｅｑｕｅｎｃｅ＃３には、この記録セグメントのビデオデータが一番目の再生経路に対するビデオデータだけを含むということを指す「Ｖｉｄｅｏ_ＰＩＤ＝Ａ」と「Ａｕｄｉｏ_ＰＩＤ＝Ｐ」情報が含まれる。
【００５０】
各経路シーケンスにはその経路シーケンスにある各再生経路に対するソースパケット番号（ＳＰＮ）が含まれる。再生経路に対するＳＰＮは再生シーケンスにおけるその再生経路に対する一番目のソースパケットである。
【００５１】
経路シーケンスはその経路シーケンスに含まれる再生経路を一つまたはそれ以上有するビデオデータセグメントに対応している。経路シーケンスの個数は３個に限られない。
【００５２】
図８では、経路シーケンス情報だけでなく、クリップファイル１、２、３に対するクリップ情報ファイルをも示している。そのクリップ情報ファイルは記録セグメント１ないし３に記録される各再生経路のＴＰに選択的にアクセスするための同じサーチ情報を提供する。例えば、同一のＥＰマップがクリップ情報ファイルにより提供される。クリップ情報ファイルに記録されるＥＰマップ情報が一つのＥＰマップとして管理される時、異なる再生経路のＴＰのＰＴＳとＳＰＮは異なる経路のＴＰが記録される順序と同じ順序でインタリーブされてＥＰマップに記録される。
【００５３】
代りに、図４Ａと図４Ｂに示したように、ＥＰマップと再生経路間には一対一の対応関係を持たせても良い。図８の場合に、経路１、２、３のＴＰの集合にそれぞれ対応する３個のＥＰマップＥＰ_ｍａｐ１、２、３はクリップ情報ファイルに生成されて記録される。
【００５４】
クリップファイル１、２、３にそれぞれ該当するクリップ情報ファイル１、２、３には各再生経路のＴＰに選択的にアクセスするためのサーチ情報が含まれる。例えば、図４Ａに示したように、各クリップ情報ファイルには一つまたはそれ以上のエントリーポイントマップ（ＥＰマップ）が含まれる。ＥＰマップには連係するクリップファイルにあるＴＰのソースパケット番号（ＳＰＮ）を連結するプレゼンテーションタイムスタンプ（ＰＴＳ）が含まれる。一実施形態において、多重再生経路データストリームに含まれる経路の数とＥＰマップとの間に一対一の関係がある。図４Ａの実施形態において、クリップファイル１、２、３にそれぞれ該当するＥＰマップ１、２、３は対応するクリップ情報ファイル１、２、３に生成されて記録される。
【００５５】
図７の記録及び再生装置は、図８の実施形態に対しても、図４Ａと図４Ｂで説明したしたことと同様に作動する。しかし、異なる再生方法も可能であって、本発明はそれに限られない。例えば、クリップ情報ファイル内の経路シーケンス情報形態の経路管理情報を、多重再生経路ビデオデータの再生を管理するために読み出して使用することができる。コントローラ１０は各経路シーケンスのＰＩＤを調査して再生経路の個数を確認して、ユーザーが再生経路を選択できるようにする。もし一つのＥＰマップが提供されると、コントローラ１０は、選択された再生経路に適合するクリップファイルを再生するために、選択された経路のＥＰマップとＰＩＤを用いる。もし各再生経路に対してＥＰマップが提供されると、選択された再生経路に該当するＥＰマップを使用して、選択された再生経路に対するクリップファイルを再生する。また、再生している間にユーザーが経路を変更する場合、再生されている経路のＥＰマップと時間的に整列された新しい経路のＥＰマップを用いてシームレスの経路変更を行うことができる。
【００５６】
したがって、前記のように構成される本発明は、多重再生経路をベースにしてビデオデータを管理できるようにすることによって、ユーザーの嗜好や便宜に合せてビデオデータを再生できる柔軟性を提供する。
【００５７】
以上、前述した本発明の望ましい実施形態は例示の目的のために開示されたものであって、ＢＤ−ＲＯＭ以外の他の光ディスクにも拡大適用が可能であり、また当業者ならば以下添付された特許請求範囲に開示された本発明の技術的思想とその技術的範囲内において、多様な他の実施形態を改良、変更、代替または付加などが可能であろう。
【図面の簡単な説明】
【００５８】
【図１】再記録可能ブルーレイディスク（ＢＤ−ＲＥ）の規格による再記録可能光ディスクのファイルまたはデータ構造を示したものである。
【図２】本発明による記録媒体のファイルまたはデータ構造に対する実施形態を示したものである。
【図３】図２のデータ構造を有する記録媒体に対する実施形態を示したものである。
【図４Ａ】図２のデータ構造で使われるクリップファイル、ディスクデータ、ＥＰマップに対する一番目の実施形態を示したものである。
【図４Ｂ】異なるクリップファイルに対するＥＰマップ間に存在する時間整列を示したものである。
【図５】図２のデータ構造で使われる再生経路管理情報に対するデータ構造に対する二番目の実施形態を示したものである。
【図６】図２のデータ構造で使われる再生経路管理情報に対するデータ構造に対する三番目の実施形態を示したものである。
【図７】７は、本発明による光ディスク記録及び再生装置に対する構成を示したものである。
【図８】８は、図２のデータ構造で使われるクリップファイル、ディスクデータ、ＥＰマップに対する二番目の実施形態を示したものである。
【図１】
2006505081.tif 000003
【図２】
2006505081.tif 000004
【図３】
2006505081.tif 000005
【図４Ａ】
2006505081.tif 000006
【図４Ｂ】
2006505081.tif 000007
【図５】
2006505081.tif 000008
【図６】
2006505081.tif 000009
【図７】
2006505081.tif 000010
【図８】
2006505081.tif 000011
【国際調査報告】
2006505081.tif 000012
2006505081.tif 000013